(57)【特許請求の範囲】
【請求項１】
接続される被操作機器を操作、管理するホームネットワークシステムに、開口部を開閉する戸体と、該戸体の外側を開閉するシャッターカーテンとを備えた建築用開閉装置を接続するにあたり、シャッターカーテンを開閉駆動制御する開閉制御部をホームネットワークシステムに接続する一方、シャッターカーテンの全閉を検知するシャッター全閉検知スイッチと、戸体の全閉を検知する戸体全閉検知スイッチとを、通常通電時では開閉制御部に接続する通常時起動回路に接続し、停電時ではシャッター全閉検知スイッチと戸体全閉検知スイッチとが並列する状態でホームネットワークシステムに接続する停電時起動回路に接続するよう切り換え自在な構成としたホームネットワークシステムにおける建築用開閉装置。
【請求項２】
請求項１において、通常時起動回路は、シャッター全閉検知スイッチと戸体全閉検知スイッチとが開閉制御部に対してそれぞれ個別に接続されているホームネットワークシステムにおける建築用開閉装置。
【請求項３】
請求項１または２において、通常時起動回路と停電時起動回路とは、開閉制御部に接続されたリレーのスイッチ接点が、開閉制御部の停電に基づいて切り換わることに伴い、自動的に切り換えられるように構成されているホームネットワークシステムにおける建築用開閉装置。
【発明の詳細な説明】
【技術分野】
【０００１】
本発明は、建築物に取り付け、または、設置される家電等の被操作機器を、ネットワークを介して接続したホームネットワークシステムにおける建築用開閉装置の技術分野に属するものである。
【背景技術】
【０００２】
近年、建築物に取り付け、または、設置される家電や、出入り口部に設けられる被操作機器と、該被操作機器を操作する操作端末と、これら被操作機器と操作端末とが接続されるネットワークと、該ネットワークに接続される管理サーバとを備えて構成されるホームネットワークシステム（ネット家電）に関する提案が種々なされている。このようなホームネットワークシステムにおいて、開口部を開閉する電動シャッター装置等の建築用開閉装置を接続し、他の被操作機器とともに電動シャッター装置を操作したり、防犯状態を管理したり、さらには、ホームネットワークシステムを警備会社等の外部ネットワークシステムに接続して、警備会社による防犯管理を受けられるようにすることが提唱されている。
【０００３】
このように、ホームネットワークシステムに電動シャッター装置を接続するものにおいて、シャッターカーテンを開閉駆動する開閉機の制御盤（開閉制御部）に、シャッターカーテンの手動開放を検知する手動開放検知手段（シャッターカーテンが全閉になることでスイッチ切り換えがなされる近接スイッチであって、本発明の全閉検知スイッチ）を接続し、前記制御盤が、手動開放検知手段から手動開放検知信号の入力に基づいて開口部の開放を判断した場合に、防犯異常信号をホームネットワークシステム側に出力するようにしたものが提唱されている。
【特許文献１】特開２００４−１１０５５９
【発明の開示】
【発明が解決しようとする課題】
【０００４】
ところで、このようなホームネットワークシステムを用いて各種被操作機器を操作、管理する場合に、特に防犯管理にあっては、停電時であっても管理できるようにすることが必要である。そこで、ホームネットワークシステム側にはバッテリを搭載し、停電時であっても搭載されるバッテリに切り換えることで防犯管理が続行されるようにしている。
しかるに、前記従来の電動シャッターの制御盤にはバッテリが搭載されていないが、ホームネットワークシステムにこのような電動シャッターを接続する場合に、ホームネットワークシステムは、前記手動開放検知手段からの手動開放検知信号に基づく信号であって、シャッターカーテンの全閉状態を検知する全閉検知信号の入力がなされている場合に警戒モードに設定される構成となっている。このため、ホームネットワークが警戒モードに設定されている状態で制御盤の電源が停電してしまうと全閉検知信号の出力がなくなり、ホームネットワーク側は、該全閉検知信号の入力がなくなることを持ってシャッターカーテンが開放されたと判断して誤報を発生するという問題が生じる。これを回避するためには、制御盤にバッテリを搭載する構成とすればよいが、このようにすると、コストアップや制御盤の大型化等の問題が生じる。
また、住宅の開口部に電動シャッター装置を設ける場合、該シャッター装置の内側に引き戸式の左右一対の戸体を設けることがあり、この場合には、シャッターカーテンの抉じ開けとともに、戸体の抉じ開けを検知することが防犯上好ましい。そこで、戸体が全閉することによりスイッチ切り換えする近接スイッチを設けて、戸体の抉じ開けを検知することが提唱されるが、単に戸体近接スイッチの切り換えのみで戸体の抉じ開けを判断すると、戸体開放時に常に防犯管理がなされてしまうことから、シャッターカーテンの開放状態と戸体の開放状態とを関連させて戸体の抉じ開けの判断をする必要がある。このため、戸体近接スイッチを、手動開放検知手段が接続されるシャッター装置の制御盤に接続し、該制御盤においてシャッターカーテンと戸体の抉じ開けを判断することが、防犯管理の操作性の観点から好ましいが、このようにした場合では、前述したように、停電時に制御盤が不作動になることにより防犯管理ができなくなってしまうという問題があり、これらに本発明の解決すべき課題がある。
【課題を解決するための手段】
【０００５】
本発明は、上記の如き実情に鑑みこれらの課題を解決することを目的として創作されたものであって、請求項１の発明は、接続される被操作機器を操作、管理するホームネットワークシステムに、開口部を開閉する戸体と、該戸体の外側を開閉するシャッターカーテンとを備えた建築用開閉装置を接続するにあたり、シャッターカーテンを開閉駆動制御する開閉制御部をホームネットワークシステムに接続する一方、シャッターカーテンの全閉を検知するシャッター全閉検知スイッチと、戸体の全閉を検知する戸体全閉検知スイッチとを、通常通電時では開閉制御部に接続する通常時起動回路に接続し、停電時ではシャッター全閉検知スイッチと戸体全閉検知スイッチとが並列する状態でホームネットワークシステムに接続する停電時起動回路に接続するよう切り換え自在な構成としたものである。
請求項２の発明は、請求項１において、通常時起動回路は、シャッター全閉検知スイッチと戸体全閉検知スイッチとが開閉制御部に対してそれぞれ個別に接続されているものである。
請求項３の発明は、請求項１または２において、通常時起動回路と停電時起動回路とは、開閉制御部に接続されたリレーのスイッチ接点が、開閉制御部の停電に基づいて切り換わることに伴い、自動的に切り換えられるように構成されているものである。
【発明の効果】
【０００６】
請求項１の発明とすることにより、開閉制御部にバッテリを搭載することなく、停電時の防犯管理が可能になり、しかも、戸体とシャッターカーテンの両者共の開放で抉じ開け検知とすることができる。
請求項２の発明とすることにより、戸体とシャッターカーテンの開放をそれぞれ個別に判断する防犯制御を行うことができる。
請求項３の発明とすることにより、停電時に自動的に回路切り換えがなされて、防犯管理を遅滞なく継続することができる。
【発明を実施するための最良の形態】
【０００７】
つぎに、本発明の参考例について、図１〜４の図面に基づいて説明する。
図１において、１はホームネットワークシステムであって、該ホームネットワークシステム１は、建物に設置されるラジオ、照明器具等の家電類や、玄関ドア２、建築用開閉装置３等の被操作機器と、これら被操作機器を集中して操作、管理する装置であって、玄関等に設置される固定式操作端末４と、これら被操作機器と内部操作端末４とを接続する内部ネットワーク５と、該内部ネットワーク５を外部ネットワーク６に接続するゲートウェイ７と、外部ネットワーク６に接続される外部管理サーバ８と、外部ネットワーク６に接続され、屋外に持ち運び自在な複数の外部操作端末９とを備えて構成されている。そして、内部ネットワーク５には、ホーム管理サーバ１０が接続され、該ホーム管理サーバ１０を介して操作端末４による被操作機器の操作が行えるように構成されている。
ここで、前記ホーム管理サーバ１０は、単独で屋内に設置できるが、本実施の形態では、ゲートウェイ７および固定式操作端末４とともに一体に組み込まれている。
【０００８】
そして、本参考例では、被操作機器として、家電、玄関ドア２を施錠する電気錠２ａ、建物の開口部を開閉する建築用開閉装置３とがホームネットワークシステムに接続されるが、これらの被操作機器は、それぞれ内部ネットワーク５の通信規格に適合するホームネットワーク用インタフェース５ａ（本参考例では送信機により構成されており、以下、単にインタフェースと称する）を介してそれぞれ内部ネットワーク５に接続されている。
そして、固定式内部操作端末４や外部操作端末９の操作があった場合に、該操作に基づく操作指令信号がインターフェース５ａを介して対応する被操作機器に送信され、これによって、被操作機器が対応する作動（スイッチのＯＮ−ＯＦＦ切り換え等）を行うように設定されている。
【０００９】
前記建築用開閉装置３は、詳しくは、住宅の窓部の屋外側に面して設けられた電動シャッター装置１１と、該電動シャッター装置１１のシャッターカーテン１１ａの内側に配されるサッシ窓を構成する左右一対の引き戸式の戸体１２とにより構成されている。
前記電動シャッター装置１１のシャッターカーテン１１ａは、開口部上方に配されたシャッターケース１１ｂに内装された巻き取りドラム（図示せず）に巻装されている。前記巻き取りドラムは、シャッターケース１１ｂに収納された開閉機１１ｃに連動連結されており、該開閉機１１ｃの正逆駆動に伴い正逆回転することにより、シャッターカーテン１１ａを巻き出し、巻き取りするように構成されている。これによって、シャッターカーテン１１ａは、両側縁部が開口部両側に立設されたガイドレール１１ｄの移動案内を受ける状態で開口部を上下動し、開口部を閉鎖する全閉姿勢と、開口部を開放する全開姿勢とのあいだを姿勢変姿するように設定されている。
【００１０】
１１ｅは前記開閉機１１ｃに接続される開閉制御部であって、該開閉制御部１１ｅがホームネットワークシステム１に接続されることになるが、この場合に、開閉制御部１１ｅは、インターフェース５ａに接続され、該インターフェース５ａを介して内部ネットワーク５に接続するように構成されている。そして、固定式内部操作端末４や外部操作端末９の操作に基づいて、インターフェース５ａを介して開放、閉鎖、停止操作指令の何れかの指令信号が開閉制御部１１ｅに入力した場合に、開閉制御部１１ｅは、開閉駆動制御手段に基づいて対応する駆動指令信号を開閉機１１ｃに出力するように設定されている。
【００１１】
さらに、本参考例では、シャッターカーテン１１ａとガイドレール１１ｄ（躯体側）とのあいだに、シャッターカーテン１１ａの全閉姿勢を検知するシャッター近接スイッチ（本発明のシャッター全閉検知スイッチに相当する）１３が設けられている。前記シャッター近接スイッチ１３は、ガイドレール１１ｄの下端部側に設けられ、開閉制御部１１ｅに接続される後述するシャッタースイッチ回路を備えたシャッター近接スイッチ本体部１３ａと、シャッターカーテン１１ａの下端部側に設けられるシャッター磁性部材１３ｂとを備えて構成されている。そして、シャッター近接スイッチ１３は、シャッターカーテン１１ａが全閉姿勢になることに伴い、シャッター磁性部材１３ｂがシャッター近接スイッチ本体部１３ａを励磁し、シャッタースイッチ回路を開回路（ＯＦＦ状態）から閉回路（ＯＮ状態）に切り換えるように構成されている。
このように構成されたシャッター近接スイッチ１３において、シャッターカーテン１１ａが全閉姿勢となって、シャッタースイッチ回路を閉回路に切り換える（ＯＮ状態になる）ことによりシャッター全閉検知信号が出力され、該出力は、後述するように、スイッチ回路の接続先であって、通常通電時には開閉制御部１１ｅに、停電時にはインターフェース５ａに入力されるよう設定されている。
【００１２】
一方、前記左右一対の戸体１２は、該戸体１２の四周に設けた框枠１２ａが、躯体開口部に嵌着されたサッシ枠１２ｂに形成された図示しないレールに沿って左右方向に移動することにより、開口部を閉鎖する全閉姿勢から、一方の戸体１２が他方の戸体１２に積層して開口部の半部を開放する全開姿勢とのあいだを開閉移動するように構成されている。そして、サッシ枠１２ｂと一対の戸体１２とのあいだには、左右上方部位に位置して本発明の戸体全閉検知スイッチに相当する戸体近接スイッチ１４がそれぞれ設けられている。つまり、サッシ枠１２ｂ側には、後述する戸体スイッチ回路を備えた戸体近接スイッチ本体部１４ａが設けられ、各戸体框枠１２ａ側には戸体磁性部材１４ｂが設けられており、戸体１２が全閉姿勢になって磁性部材１４ｂが戸体近接スイッチ本体部１４ａを励磁することにより、戸体スイッチ回路を切り換えるように構成されている。
このように構成された戸体近接スイッチ１４において、戸体１２の全閉姿勢への変姿により、戸体スイッチ回路は開回路（ＯＦＦ状態）から閉回路（ＯＮ状態）に切り換わり、該閉回路になる（ＯＮ状態になる）ことにより戸体全閉検知信号を出力するが、該出力は、後述するように、通常通電時では開閉制御部１１ｅに、停電時にはインターフェース５ａに入力されるよう設定されている。
【００１３】
そして、前記シャッター近接スイッチ１３と戸体近接スイッチ１４とは、図４に示すように、開閉制御部１１ｅと、ホームネットワークシステム１側の部材であり、停電状態になっても起動できるようバッテリが搭載されているインターフェース５ａとにそれぞれ切換え自在に接続されるように配線されており、各近接スイッチ１３、１４からの検知信号は、前述したように、これら何れかの接続先に出力されるように設定されている。
つまり、シャッター近接スイッチ１３と戸体近接スイッチ１４が接続されたシャッター通常時起動回路１３ｃと戸体通常時起動回路１４ｃとは、それぞれ個別に開閉制御部１１ｅに接続するように配線されている。
一方、開閉制御部１１ｅには停電時起動用リレー１５が接続されており、該停電時起動用リレー１５の励磁−非励磁に基づいて、Ａ端子側とＢ端子側とに接続切り換え（スイッチ切り換え）するシャッター用スイッチ接点１５ａと戸体用スイッチ接点１５ｂとが、前記シャッター通常時起動回路１３ｃと戸体通常時起動回路１４ｃとにそれぞれ接続されている。そして、シャッター用スイッチ接点１５ａと戸体用スイッチ接点１５ｂとは、開閉制御部１１ｅに電源供給がなされて停電時起動用リレー１５が励磁されている状態でＡ端子側に切り換えられており、この状態では、各近接スイッチ１３、１４がシャッター通常時起動回路１３ｃと戸体通常時起動回路１４ｃとにそれぞれ接続される構成となり、各スイッチ１３、１４の閉成に伴い、対応する全閉検知信号を開閉制御部１１ｅに出力するように設定されている。
【００１４】
さらに、開閉制御部１１ｅとインターフェース５ａとのあいだにはインターフェース回路５ｂが接続されているが、該インターフェース回路５ｂには、シャッター近接スイッチ１３と戸体近接スイッチ１４とに接続するための停電時起動回路５ｃが、開閉制御部１１ｅに対して並列接続されている。
つまり、インターフェース回路５ｂの一方の配線からは、一端が戸体用スイッチ接点１５ｂのＢ端子に接続する配線が接続され、他方の配線からは、一端がシャッター通常時起動回路１３ｃの開閉制御部１１ｅとシャッター近接スイッチ１３とのあいだの配線に接続する配線が接続されている。さらに、シャッター用スイッチ接点１５ａのＢ端子は、戸体通常時起動回路１４ｃの開閉制御部１１ｅと戸体近接スイッチ１４とのあいだの配線に接続されている。これによって、停電状態となり、開閉制御部１１ｅへの電源供給が断たれて停電時起動用リレー１５が非励磁状態となった場合では、シャッター用スイッチ接点１５ａと戸体用スイッチ接点１５ｂとがそれぞれＡ端子側からＢ端子側に接続切り換えされ、この状態となると、シャッター近接スイッチ１３と戸体近接スイッチ１４とが互いに直列となった関係でインターフェース５ａに直接接続される停電時起動回路５ｃに接続されるように構成され、各スイッチ１３、１４の閉成に伴い、インターフェース５ａに検知信号を出力するように設定されている。
尚、停電時起動回路５ｃは、シャッター近接スイッチ１３と戸体近接スイッチ１４とが直列接続されているため、全てのスイッチ１３、１４が閉成することにより全閉検知信号をインターフェース５ａに出力しており、何れかのスイッチ１３または１４が開成することにより、全閉検知信号の出力がなくなる構成となっている。
【００１５】
このように、シャッター近接スイッチ１３と戸体近接スイッチ１４とのスイッチ回路は、通常通電時では通常時起動回路１３ｃ、１４ｃが閉成可能な状態となり、停電時では停電時起動回路５ｃが閉成可能な状態となり、これらが切り換え自在に構成されており、通常の電力供給時では、シャッターあるいは戸体近接スイッチ１３、１４の何れかが作動した場合に、通常時起動回路１３ｃ、１４ｃに基づいてシャッターあるいは戸体全閉検知信号を開閉制御部１１ｅに対して出力し、停電時では、全ての近接スイッチ１３、１４が作動した場合にのみ、停電時起動回路５ｃに基づいてインターフェース５ａに対して全閉検知信号を出力するように設定されている。
【００１６】
つぎに、通常の電源供給時における開閉制御部１１ｅの建築用開閉装置３の制御状態について説明する。前記開閉制御部１１ｅは、前述したように前記各操作端末４、９が操作されることに伴い、開閉駆動制御手段に基づいて対応する駆動指令を開閉機１１ｃに対して出力し、シャッターカーテン１１ａの開閉駆動制御を行うように設定されている。
また、開閉制御部１１ｅにはシャッター防犯手段が設けられており、シャッター近接スイッチ１３からシャッター全閉検知信号の入力がなされ、開閉制御部１１ｅがシャッター警戒モードに設定されている状態において、シャッター全閉検知信号の入力に基づいて、シャッターカーテン１１ａの抉じ開けがなされたか否かを検知し、抉じ開けがなされたと判断した場合に、シャッター防犯異常信号をインターフェース５ａを介してホーム管理サーバ１０に出力するように設定されている。ここで、シャッター防犯手段において、開閉制御部１１ｅは、シャッター近接スイッチ１３のスイッチ回路である通常時起動回路１３ｃが閉回路状態から開成すること、即ち、シャッターカーテン１１ａが開放されてシャッター全閉検知信号の出力がなくなり、かつ、この状態において、開閉制御部１１ｅに開放指令信号の入力がないことをもってシャッターカーテン１１ｅの抉じ開けがあったと判断するように設定され、この状態となると、インターフェース５ａに対してシャッター防犯異常信号を開口部が開放されたことの検知信号（開口部開放信号）として出力するように設定されている。
さらに、開閉制御部１１ｅには報知装置１６が接続されており、開閉制御部１１ｅにおいてシャッターカーテン１の抉じ開けを判断した場合に、インターフェース５ａにシャッター防犯異常信号を出力するとともに、報知装置１６に対してシャッター異常報知信号を出力して報知作動をするように設定されている。
【００１７】
また、開閉制御部１１ｅには戸体防犯手段が設けられており、シャッター近接スイッチ１３がＯＮ状態になり、開閉制御部１１ｅが戸体警戒モードに設定される状態では、シャッター全閉検知信号の入力がなされている状態で、戸体近接スイッチ１３からの戸体全閉検知信号の入力がなくなることに基づいて、戸体８の抉じ開けがあったと判断するように設定されており、この状態になると、開閉制御部１１ｅは戸体防犯異常信号を開口部が開放されたことの検知信号（開口部開放信号）としてインターフェース５ａに出力し、該インターフェース５ａを介してホーム管理サーバ１０に入力されるように設定されている。このとき、開閉制御部１１ｅは、戸体防犯異常信号を出力するとともに、報知装置１６に対して戸体異常報知信号を出力するように設定されており、報知装置１６は、前記シャッター異常報知信号に基づく報知作動とは異なる報知作動をするように設定されている。
尚、本参考例において、開閉制御部１１ｅに、シャッター防犯異常信号、あるいは、戸体防犯異常信号の入力がなされた場合に、開閉制御部１１ｅはインターフェース５ａに対して開口部開放信号を出力し、これに基づいてインターフェース５ａはホーム管理サーバ１０に対して開口部開放信号を出力するように設定されている。
ここで、開閉制御部１１ｅは、シャッター全閉検知信号、戸体全閉検知信号の両者の信号入力がある場合に、インターフェース５ａを介してホーム管理サーバ１０に対して開口部全閉信号を出力するように設定されており、ホーム管理サーバ１０は、開口部全閉信号の入力があることに基づいて警戒モードへの移行が可能となるように設定されている。
そして、ホーム管理サーバ１０は、ホームネットワークシステム１が警戒モードに移行しているあいだに開口部開放信号の入力があった場合に、開口部開放信号を外部管理サーバ８に通報するように設定されており、該通報を受けた外部管理サーバ８は、開口部開放信号の入力に基づいて、外部操作端末９への報知や警備会社への報知等の適宜防犯対策を実行するように設定されている。
【００１８】
これに対し、停電となった場合では、開閉制御部１１ｅによる駆動制御、防犯制御等はなされることがないが、シャッター近接スイッチ１３と戸体近接スイッチ１４とは、停電時起動用リレー１５が非励磁状態となって、インターフェース５ａとのあいだの停電時起動回路５ｃ側を閉成可能な状態に接続される用に設定されている。これによって、シャッター全閉検知信号あるいは戸体全閉検知信号を直接インターフェース５ａに入力させることができるが、この場合に、インターフェース５ａは、シャッター、戸体近接スイッチ１３、１４の両者がＯＮ状態となっている状態が開口部の全閉として、開口部全閉信号をホーム管理サーバ１０に出力するように設定されている。そして、シャッター、戸体の何れかのスイッチ１３または１４がＯＦＦ状態となって、全閉検知信号の入力がなくなることをもって、開口部の開放検知として、開口部開放信号をホーム管理サーバ１０に出力するように設定され、通常通電時と同様の防犯管理を行うように設定されている。
このように構成することにより、シャッターカーテン１１ａと戸体１２とが全閉して両スイッチ１３、１４がＯＮ状態となってシャッター、戸体全閉検知信号が出力し、開口部全閉信号がインターフェース５ａを介してホーム管理サーバ１０に入力されている状態において、ホームネットワークシステム１は警戒モードに移行することができるが、該警戒モードに移行している状態において停電したような場合に、停電時起動回路５ｃが起動してインターフェース５ａに両スイッチ１３、１４からの信号入力が継続される。これによって、停電になることによりホームネットワークシステム１側に開口部全閉信号の入力がなくなって、抉じ開けの判断がなされて防犯作動をしてしまうような不具合をなくすことができるように設定されている。
【００１９】
叙述の如く構成された本参考例において、建築用開閉装置３をホームネットワークシステム１に接続して、ホーム管理サーバ１０による集中的な操作管理、防犯管理を行う場合に、建築用開閉装置３を構成する電動シャッター装置１１と該電動シャッター装置１１の内側に配される戸体１２とは、それぞれ抉じ開けを検知するためのシャッター近接スイッチ１３と戸体近接スイッチ１４とが設けられている。そして、これらスイッチ１３、１４をインターフェース５ａを介してホームネットワークシステム１に接続することにより、これらスイッチ１３、１４の作動状態に基づいてホームネットワークシステム１による抉じ開けを監視することができる。さらに、この場合に、電源供給が通常になされる通常通電時では、これら両スイッチ１３、１４の作動状態を電動シャッター装置１１の開閉制御部１１ｅにより監視することにより、開閉制御部１１ｅの防犯制御に基づく防犯管理をおこなうことができる。
しかも、このものでは、シャッター近接スイッチ１３と戸体近接スイッチ１４とは、停電時には停電時起動回路５ｃによりバッテリが搭載されたインターフェース５ａに接続されるので、停電時にシャッター近接スイッチ１３または戸体近接スイッチ１４のスイッチ切り換えがあった場合に、該スイッチ切り換えに基づく検知信号を、開閉制御部１１ｅを介すことなく直接ホームネットワークシステム１側に出力することができる。この結果、開閉制御部１１ｅにバッテリを搭載しないにもかかわらず、停電時においてもシャッター、戸体近接スイッチ１３、１４のスイッチ切り換えに基づくホームネットワークシステム１による防犯管理を行うことが可能となり、コストアップを抑制でき、しかも、コンパクト化を損なうことなく、操作性のよいホームネットワークシステム１を構築することができる。
【００２０】
また、このものでは、シャッター近接スイッチ１３と戸体近接スイッチ１４とが開閉制御部１１ｅに対してそれぞれ個別に接続されているので、両者の検知信号がそれぞれ入力されて、それぞれの開放状態を検知することに基づく防犯管理が可能となり、操作性よく防犯管理を行うことができる。
【００２１】
そのうえ、このものでは、開閉制御部１１ｅに設けた停電時起動用リレー１５が、停電になることにより励磁状態から非励磁状態に切り換わり、シャッター近接スイッチ１３と戸体近接スイッチ１４とのスイッチ回路を通常時起動回路１３ｃ、１４ｃを閉成可能とする状態から停電時起動回路５ｃを閉成可能とする状態に自動的に切り換えられることになるので、突然の停電にあっても円滑に防犯管理を続行することが可能となり、操作性に優れる。
【００２２】
つぎに、本発明の実施の形態について、図５の図面に基づいて説明する。
本実施の形態において、シャッター近接スイッチ１３、戸体近接スイッチ１４、シャッター通電時起動回路１３ｃ、戸体通電時起動回路１４ｃ、インターフェース５ａ、開閉制御部１１ｅ、停電時起動用リレー１５、該リレー１５のシャッター用スイッチ接点１５ａ、戸体用スイッチ接点１５ｂの基本構成は前記参考例と同様である。
そして、このものにおいて、シャッター用近接スイッチ１３および戸体用近接スイッチ１４と、インターフェース５ａとのあいだに配線される停電時起動用回路１７は、シャッター用近接スイッチ１３と戸体用近接スイッチ１４とが互いに並列になる状態でインターフェース５ａに接続されるような回路構成となっている。
【００２３】
即ち、インターフェース回路５ｂの一方の配線からは、一端がシャッター用スイッチ接点１５ａのＢ端子に接続する配線と、一端が戸体用スイッチ接点１５ｂのＢ端子に接続する配線とが接続され、他方の配線からは、一端がシャッター通常時起動回路１３ｃの開閉制御部１１ｅとシャッター近接スイッチ１３とのあいだの配線に接続する配線と、一端が戸体通常時起動回路１４ｃの開閉制御部１１ｅと戸体近接スイッチ１４とのあいだの配線に接続する配線とが接続されている。これによって、停電状態となり、開閉制御部１１ｅへの電源供給が断たれて停電時起動用リレー１５が非励磁状態となった場合に、シャッター用スイッチ接点１５ａと戸体用スイッチ接点１５ｂとがそれぞれＡ端子側からＢ端子側に接続切り換えをすることにより、シャッター近接スイッチ１３がインターフェース５ａに直接接続されるシャッター停電時起動回路１７ａと、戸体近接スイッチ１４がインターフェース５ａに直接接続される戸体停電時起動回路１７ｂとに接続されるように構成されている。そして、このものでは、シャッター近接スイッチ１３と戸体近接スイッチ１４とが互いに並列となる関係でインターフェース５ａに直接接続されるように設定されている。
そして、このように構成したものでも、前記参考例と同様に開閉制御部１１ｅにバッテリを搭載することなく停電時の防犯管理を実現できるが、このものでは、シャッター、戸体の何れかのスイッチがＯＮ状態（シャッターカーテン、戸体の何れかが全閉）となることでホームネットワークシステムを警戒モードとする構成とすることができ、この場合では、両者のスイッチがＯＦＦ状態となることで開口部開放信号を出力して防犯作動を行うように設定される。
【図面の簡単な説明】
【００２４】
【図１】参考例におけるホームネットワークシステムの全体構成を説明するブロック図である。
【図２】参考例における窓部に設けられる建築用シャッター装置とサッシ窓との構成を説明するパターン図である。
【図３】参考例におけるホームネットワークシステムの機能構成を説明するブロック図である。
【図４】参考例におけるシャッター近接スイッチと戸体近接スイッチとの接続状態を説明する回路図である。
【図５】本発明の実施の形態におけるシャッター近接スイッチと戸体近接スイッチとの接続状態を説明する回路図である。
【符号の説明】
【００２５】
１    ホームネットワークシステム
３    建築用開閉装置
５    内部ネットワーク
５ａ    インターフェース
５ｃ    停電時起動回路
１０    ホーム管理サーバ
１１    電動シャッター装置
１１ｅ    開閉制御部
１２    戸体
１３    シャッター近接スイッチ
１３ｃ    シャッター通常時起動回路
１４    戸体近接スイッチ
１４ｃ    戸体通常時起動回路
１５    戸体用スイッチ接点
【図１】
0004754291.tif 000002
【図２】
0004754291.tif 000003
【図３】
0004754291.tif 000004
【図４】
0004754291.tif 000005
【図５】
0004754291.tif 000006